(57)【要約】【課題】  地面との一体感のあるパネル構造体の提供。【解決手段】  上枠１及び下枠２と、上下枠１，２間に左右に並べて取付けた複数のパネル３，３，…とを備え、上枠１及び下枠２は、パネル取付溝４ａ，４ｂを有し、下枠２は、地面５から近接して浮かせてないし地面５に当接して設けてあり、パネル３は、上下枠１，２のパネル取付溝４ａ，４ｂにけんどんで取付けてあり、左右に隣り合うパネル３，３間に隙間６が設けてあり、下枠２のパネル取付溝４ｂ内の左右のパネル３，３間の隙間６にスペーサー７が設けてある。【選択図】      図１
2019099999.tif 000002
【特許請求の範囲】
【請求項１】
上枠及び下枠と、上下枠間に左右に並べて取付けた複数のパネルとを備え、上枠及び下枠は、パネル取付溝を有し、下枠は、地面から近接して浮かせてないし地面に当接して設けてあり、パネルは、上下枠のパネル取付溝にけんどんで取付けてあり、左右に隣り合うパネル間に隙間が設けてあり、下枠のパネル取付溝内の左右のパネル間の隙間にスペーサーが設けてあることを特徴とするパネル構造体。
【請求項２】
上枠及び下枠と、上下枠間に取付けたパネルとを備え、上枠及び下枠は、パネル取付溝を有し、下枠は、地面から近接して浮かせて設けてあるとともに、下面に緩衝材取付溝を有し、下枠のパネル取付溝内に配置したパネル敷板の下に緩衝材取付溝に取付けた緩衝材が位置していることを特徴とするパネル構造体。
【発明の詳細な説明】
【技術分野】
【０００１】
本発明は、フェンス等のパネル構造体に関する。
【背景技術】
【０００２】
従来のフェンスとして、地面に間隔をおいて立設した支柱に上枠及び下枠を架設し、上枠と下枠間にパネルを取付けたものがあった（例えば、非特許文献１参照）。かかる従来のフェンスは、下枠が地面から離れているために、地面との一体感がない、パネルの面積が小さくなる、下枠と地面の間から物が落ちるといった不都合があった。
【先行技術文献】
【特許文献】
【０００３】
【非特許文献１】三協立山株式会社  三協アルミ社発行のカタログ「エクステリア  総合カタログ」（カタログＮｏ．ＳＴＸ１０８９Ａ  ＴＳ．１７．０３−３０００）、２０１７年２月、ｐ．６６０
【発明の概要】
【発明が解決しようとする課題】
【０００４】
本発明は以上に述べた実情に鑑み、地面との一体感のあるパネル構造体の提供を目的とする。
【課題を解決するための手段】
【０００５】
上記の課題を達成するために請求項１記載の発明によるパネル構造体は、上枠及び下枠と、上下枠間に左右に並べて取付けた複数のパネルとを備え、上枠及び下枠は、パネル取付溝を有し、下枠は、地面から近接して浮かせてないし地面に当接して設けてあり、パネルは、上下枠のパネル取付溝にけんどんで取付けてあり、左右に隣り合うパネル間に隙間が設けてあり、下枠のパネル取付溝内の左右のパネル間の隙間にスペーサーが設けてあることを特徴とする。
【０００６】
請求項２記載の発明によるパネル構造体は、上枠及び下枠と、上下枠間に取付けたパネルとを備え、上枠及び下枠は、パネル取付溝を有し、下枠は、地面から近接して浮かせて設けてあるとともに、下面に緩衝材取付溝を有し、下枠のパネル取付溝内に配置したパネル敷板の下に緩衝材取付溝に取付けた緩衝材が位置していることを特徴とする。
【発明の効果】
【０００７】
請求項１記載の発明によるパネル構造体は、下枠が地面から近接して浮かせてないし地面に当接して設けてあることで、パネルを大きくできると共に、パネルが地面から立ち上がっているような意匠になり、地面との一体感が得られる。左右のパネル間に隙間が設けてあることで、パネルの小口を見せる意匠にできる。パネルは、上下枠のパネル取付溝にけんどんで取付けられ、しかも下枠のパネル取付溝内の左右のパネル間の隙間にスペーサーが設けてあることで、左右のパネル間の隙間を一定にすることができ、施工性が良い。
【０００８】
請求項２記載の発明によるパネル構造体は、下枠が地面から近接して浮かせて設けてあるとともに、下面に緩衝材取付溝を有し、下枠のパネル取付溝内に配置したパネル敷板の下に緩衝材取付溝に取付けた緩衝材が位置していることで、パネルを大きくできると共に、パネルが地面から立ち上がっているような意匠になり、地面との一体感が得られ、尚且つ上枠に人が寄り掛かるなどして荷重が加わったときに、緩衝材が荷重を和らげ、下枠が撓むのを防止できる。緩衝材は、下枠下面の緩衝材取付溝に取付けてあるため、目立たない。
【図面の簡単な説明】
【０００９】
【図１】図５に示すパネル構造体の一部を拡大して示す正面図である。
【図２】図１のＡ−Ａ断面図である。
【図３】図１のＢ−Ｂ断面図である。
【図４】図１のＣ−Ｃ断面図である。
【図５】本発明に係るパネル構造体の一実施形態を示す正面図である。
【図６】同パネル構造体の斜視図である。
【図７】パネル取付け時の状態を示す斜視図である。
【図８】パネルの取付手順を示す縦断面図である。
【図９】下枠へのスペーサー及び緩衝材の取付け方を示す斜視図である。
【発明を実施するための形態】
【００１０】
以下、本発明の実施の形態を図面に基づいて説明する。図１〜６は、本発明に係るパネル構造体１１の一実施形態を示している。本実施形態のパネル構造体１１は、図５，６に示すように、住宅の庭等に設置されるデッキ１２の床面５上に設置したフェンスに適用したものである。
デッキ１２は、束柱１３で支持した大引き１４を前後方向に間隔をおいて設け、大引き１４上に人口木のデッキ材よりなる床板１５を左右方向に並べて設置し、前側と左右両側の縁を囲むように幕板１６を取付けて構成してある。デッキ１２の右側には、デッキ１２に昇り降りするための階段１７が設置してある。
パネル構造体１１は、デッキ１２の床面５上にデッキ１２の前側と左側の縁に沿って平面視Ｌ字形に設けてある。
【００１１】
パネル構造体１１は、図１，２，６に示すように、デッキ床面５上に立設した複数の支柱１８，１８，…と、支柱１８に取付けたブラケット１９ａ，１９ｂを介して支柱１８，１８，…の外側に持ち出して支持した上枠１及び下枠２と、上下枠１，２間に左右に並べて取付けた複数のパネル３，３，…とを備えている。
パネル３は、透明な強化ガラスよりなり、上縁部と下縁部の二辺が上枠１と下枠２に支持され、左右の縦縁部は支持されておらず、左右に隣り合うパネル３，３間には隙間６が設けてある。一枚のパネル３の左右寸法は、支柱１８，１８，…の間隔と略同じになっており、左右のパネル３，３間の隙間６の内側に支柱１８が位置している。左右のパネル３，３間の隙間６の寸法Ｓ１は、子供の手指が入っても怪我しないような寸法、具体的には１３ｍｍ以上（実際には１５ｍｍ）としてある。
【００１２】
支柱１８は、図２，３に示すように、アルミ合金の角筒状の押出形材で形成され、下端部にベースプレート２０が取付けられ、ベースプレート２０をデッキ床面５上に載置してボルト２１で固定してある。支柱１８の外側面の上部には上枠１用のブラケット１９ａが、下部には下枠２用のブラケット１９ｂがそれぞれ取付けてある。支柱１８の上端には、樹脂製のキャップ２２が取付けてある。
【００１３】
上枠１は、アルミ合金の押出形材よりなり、図２に示すように、下面にパネル取付溝４ａを長手方向に沿って有し、パネル取付溝４ａの内側の下面を支柱１８に固定したブラケット１９ａの先端部にネジ２３で固定することで、支柱１８に支持されている。パネル取付溝４ａ内の内側の壁とパネル３との間には先付ビード２４が設けてあり、パネル取付溝４ａ内の外側の壁とパネル３との間には後付けビード２５が設けてある。パネル３の上端とパネル取付溝４ａの底面との間には空間２６がある。
【００１４】
下枠２は、アルミ合金の押出形材よりなり、図２に示すように、上面にパネル取付溝４ｂを長手方向に沿って有し、パネル取付溝４ｂの内側の上面を支柱１８に固定したブラケット１９ｂの先端部にネジ２３で固定することで、支柱１８に支持されている。パネル取付溝４ｂ内の内側の壁とパネル３との間には先付ビード２４が設けてあり、パネル取付溝４ｂ内の外側の壁とパネル３との間には後付けビード２５が設けてある。さらにパネル取付溝４ｂ内の底部にはパネル敷板９が設けてあり、パネル敷板９でパネル３を受けている。パネル敷板９は、１枚のパネル３に対して２つずつ設けてあって、図１に示すように、パネル３の左右の縁からパネル３の左右寸法の約１／４の位置に配置してある。
【００１５】
下枠２は、図２に示すように、デッキ床面５から近接して浮かせて設けてある。下枠２とデッキ床面５との隙間２７の寸法Ｓ２は、子供の手指が入らないような寸法、具体的には５ｍｍ未満（実際には４ｍｍ）としてある。デッキ床面５の縁部には、幕板１６の上端部が覆い被さっているため、外側から見て下枠２とデッキ床面５間の隙間２７はほとんど見えない。下枠２は、見付寸法を２５ｍｍと極力小さくしてある。
【００１６】
下枠２は、図２に示すように、下面に緩衝材取付溝１０を長手方向に沿って有し、緩衝材取付溝１０に緩衝材８が取付けてある。緩衝材８は、図１，２に示すように、先に説明したパネル敷板９の真下に位置している。緩衝材８は、硬質ゴムで直方体のブロック状に形成され、緩衝材８の高さ寸法Ｙは緩衝材取付溝１０の底面１０ａとデッキ床面５間の寸法と同一としてある。よって、下枠２やパネル３の自重は基本的に支柱１８で支持され、上枠１に人が寄り掛かるなどして荷重が加わったときに、緩衝材８がその荷重を和らげ、下枠２が撓むのを防ぐ。また、緩衝材８の見込み寸法Ｘは、緩衝材取付溝１０の見込方向の内寸よりも小さくなっており、緩衝材取付溝１０の見込方向の中央部に緩衝材８が取付けてある。緩衝材８は、下枠２下面の緩衝材取付溝１０に取付けてあることで見えにくいが、上記のように緩衝材８の見込み寸法Ｘを緩衝材取付溝１０の内寸よりも小さくすることで、緩衝材８をより見えにくくしている。
【００１７】
下枠２のパネル取付溝４ｂ内の左右のパネル３，３間の隙間６には、図１，３に示すようにスペーサー７が設けてあり、左右のパネル３，３の縦の小口をこのスペーサー７に突き当てることで、左右のパネル３，３間の隙間６を一定にしてある。スペーサー７は、図９に示すように、下枠２下面側からネジ２８で取付けてある。スペーサー７の上面は、図１に示すように、下枠２の上面と同じ高さになっており、これにより左右のパネル３，３間の隙間６のパネル取付溝４ｂ内に雨水が溜まらないようにしている。
【００１８】
次に、本パネル構造体１１の施工手順を説明する。まず、デッキ床面５上の所定の位置に支柱１８，１８，…を立設し、支柱１８，１８，…にブラケット１９ａ，１９ｂとキャップ２２を取付ける。次に、図９に示すように、下枠２下面の緩衝材取付溝１０に緩衝材８の上面を両面テープ２９で接着して取付け、下枠２上面のパネル取付溝４ｂにスペーサー７をネジ２８で取付ける。次に、上枠１と下枠２を支柱１８，１８，…のブラケット１９ａ，１９ｂに取付ける。このとき、上下枠１，２のパネル取付溝４ａ，４ｂ内には先付ビード２４のみが取付けられ、後付けビード２５は取付けられていない。その後、図７と図８（ａ）に示すように、下枠２のパネル取付溝４ｂ内にパネル敷板９を設置してから、予め下枠２のパネル取付溝４ｂ内に設置したスペーサー７，７，…の内々に入るように、パネル３を上下枠１，２のパネル取付溝４ａ，４ｂにけんどんで取付ける。その後、図８（ｂ）に示すように、外側からパネル取付溝４ａ，４ｂに後付けビード２５を嵌め込んでパネル３を固定する。
【００１９】
以上に述べたように本パネル構造体１１は、下枠２がデッキ床面５（地面）から近接して浮かせて設けてあることで、パネル３を大きくできると共に、パネル３がデッキ床面５から立ち上がっているような意匠になり、デッキ１２との一体感が得られる。左右のパネル３，３間に隙間６が設けてあることで、パネル３，３，…の小口を見せる意匠にできる。パネル３は、上下枠１，２のパネル取付溝４ａ，４ｂにけんどんで取付けられ、しかも下枠２のパネル取付溝４ｂ内の左右のパネル３，３間の隙間６にスペーサー７が設けてあることで、左右のパネル３，３間の隙間６を一定にすることができ、施工性が良い。
また本パネル構造体１１は、下枠２がデッキ床面５から近接して浮かせて設けてあることで、下枠２とデッキ床面５の間から物を落とすことがなく、且つ下枠２とデッキ床面５間の隙間から雨水を排水することができる。
また本パネル構造体１１は、下枠２がデッキ床面５（地面）から近接して浮かせて設けてあるとともに、下面に緩衝材取付溝１０を有し、パネル取付溝４ｂ内に配置したパネル敷板９の下に緩衝材取付溝１０に取付けた緩衝材８が位置していることで、デッキ１２との一体感が得られると同時に、上枠１に人が寄り掛かるなどして荷重が加わったときに、緩衝材８が荷重を和らげ、下枠２が撓むのを防止できる。緩衝材８は、下枠２下面の緩衝材取付溝１０に取付けてあるため、目立たない。
本パネル構造体１１は、左右のパネル３，３間の隙間６が、手指が入っても怪我しない寸法としたので、左右のパネル３，３間に手指を挟み込んで怪我をすることがない。また、下枠２とデッキ床面５間の隙間２７が、手指が入らない寸法としてあるので、下枠２とデッキ床面５間に手指を挟み込んで怪我をすることがない。
本パネル構造体１１は、支柱１８，１８，…がパネル３の内側（後側）に配置され、パネル３の縦縁部を支持する縦桟等も有しないので、外側から見て全面的にパネル３が見え、強化ガラスよりなるパネル３の透明感が強調される。
【００２０】
本発明は以上に述べた実施形態に限定されない。上枠及び下枠の断面形状や材質、取付け方は、適宜変更することができる。パネルは、樹脂製や金属製のものであってもよい。下枠は、地面に当接して設けることもできる。スペーサーや緩衝材の形状、材質は、適宜変更することができる。パネル構造体が設置される地面が具体的に何であるかは問わない。実施形態は、デッキの床面上に設置したフェンスであったが、例えばベランダや屋上の縁部に設けたフェンスや手摺、敷地の境界のブロック上に設けたフェンス、地面から直接立ち上げたフェンス等であってもよい。
【符号の説明】
【００２１】
１  上枠
２  下枠
３  パネル
４ａ，４ｂ  パネル取付溝
５  デッキ床面（地面）
６  左右パネル間の隙間
７  スペーサー
８  緩衝材
９  パネル敷板
１０  緩衝材取付溝
１１  パネル構造体
【図１】
2019099999.tif 000003
【図２】
2019099999.tif 000004
【図３】
2019099999.tif 000005
【図４】
2019099999.tif 000006
【図５】
2019099999.tif 000007
【図６】
2019099999.tif 000008
【図７】
2019099999.tif 000009
【図８】
2019099999.tif 000010
【図９】
2019099999.tif 000011